(57)【要約】【課題】  ユーザから早送り再生が指示された場合であっても、ユーザにＣＭ情報を提示可能な放送受信端末および放送番組再生方法を提供する。【解決手段】  録画された放送番組を再生中にユーザから早送り再生指示が入力されると、所定の速度倍率で早送り再生を行うとともに、前記録画された放送番組に含まれるＣＭ部分の一部を再生する。 【選択図】  図２
2007013359.tif 000002
【特許請求の範囲】
【請求項１】
録画された放送番組を再生する放送番組再生方法であって、
前記放送番組を再生中にユーザから早送り再生指示が入力されると、所定の速度倍率で早送り再生を行うとともに、前記録画された放送番組に含まれるＣＭ部分の一部を再生することを特徴とする放送番組再生方法。
【請求項２】
前記ＣＭ部分の一部とは、ＣＭ部分の終端部の映像データあるいは音声データであることを特徴とする請求項１に記載の放送番組再生方法。
【請求項３】
前記ＣＭ部分の終端部とは、15秒間のＣＭ部分の終わり1秒間の部分であることを特徴とする請求項２に記載の放送番組再生方法。
【請求項４】
前記ＣＭ部分の一部とは、映像データ1枚の画像であることを特徴とする請求項１に記載の放送番組再生方法。
【請求項５】
放送番組を受信可能な放送受信端末であって、
受信した放送番組を記録する記録手段と、
前記記録手段に記録された放送番組を再生する再生手段と、
前記再生手段は、ユーザから早送り再生指示が入力されると、所定の速度倍率で前記放送番組を早送り再生を行うとともに、前記放送番組に含まれるＣＭ部分の一部を抜き出して再生することを特徴とする放送受信端末。
【請求項６】
映像データおよび音声データを含むデジタル放送番組の処理を行う放送番組再生方法において、
ユーザからの早送り再生指示に従って、早送り状態に遷移し、指定された速度倍率によって早送り再生を行い、
早送り再生中に、番組本編部分とＣＭ期間部分との境界であるＣＭ期間開始境界点を検出し、
前記ＣＭ期間開始境界点から（15×Ｎ）秒の部分（Nは自然数）を早送り再生基準点とし、（15×Ｎ−α）秒から（15×Ｎ）秒の部分のＣＭデータの一部を再生し（αは、0<α<15を満たす自然数）、
ＣＭ期間部分と番組本編部分との境界であるＣＭ期間終了境界点において、前記指定された速度倍率によって早送り再生を行うようにすることを特徴とする放送番組再生方法。
【請求項７】
映像データおよび音声データを含むデジタル放送番組の処理を行う放送番組再生方法において、
ユーザからの早送り再生指示に従って、早送り状態に遷移し、指定された速度倍率によって早送り再生を行い、
早送り再生中に、番組本編部分とＣＭ期間部分との境界であるＣＭ期間開始境界点を検出し、
前記ＣＭ期間開始境界点から（15×Ｎ）秒の部分（Nは自然数）を早送り再生基準点とし、（15×Ｎ−α）秒から（15×Ｎ−β）秒の部分のＣＭデータの一部を再生し（αは0<α<15を満たす自然数、βは0＜β＜αを満たす自然数）、
ＣＭ期間部分と番組本編部分との境界であるＣＭ期間終了境界点において、前記指定された速度倍率によって早送り再生を行うようにすることを特徴とする放送番組再生方法。
【請求項８】
請求項６または７に記載のＣＭデータの一部とは、映像データあるいは音声データであることを特徴とする放送番組再生方法。
【請求項９】
請求項６または７に記載のＣＭデータの一部とは、映像データ1枚の画像であることを特徴とする放送番組再生方法。
【請求項１０】
請求項６に記載のＣＭデータの一部とは、（15×Ｎ−α）秒から（15×Ｎ）秒の音声データおよび映像データ1枚の画像であることを特徴とする放送番組再生方法。    
【発明の詳細な説明】
【技術分野】
【０００１】
本発明は、ＴＶ放送を受信する機能を備える放送受信端末および放送番組再生方法に関する。
【背景技術】
【０００２】
特許文献１に、TV信号から生成されたCM期間識別情報をTV信号とともに記録媒体に記録し、前記CM期間識別情報に基づいて特殊再生を行う記録再生装置が開示されている。 
【特許文献１】特開２００３−２５７１６０号公報
【発明の開示】
【発明が解決しようとする課題】
【０００３】
録画した放送番組あるいはCM部分の早送り再生がユーザから指示された場合に、CM部分が丸ごと飛ばされてしまうと、CM情報が全くユーザに対して提示されず、放送番組スポンサーの意図に反する状況となってしまうという問題がある。
【０００４】
そこで、ユーザから早送り再生が指示された場合であっても、ユーザにＣＭ情報を提示可能な放送受信端末および放送番組再生方法を提供することを目的とする。
【課題を解決するための手段】
【０００５】
上記課題を解決するため、録画された放送番組を再生中にユーザから早送り再生指示が入力されると、所定の速度倍率で早送り再生を行うとともに、前記録画された放送番組に含まれるＣＭ部分の一部を再生する。 
【発明の効果】
【０００６】
本発明によれば、早送り再生時においても、ユーザにＣＭ情報を提示可能な放送受信端末および放送番組再生方法を提供することができる。
【発明を実施するための最良の形態】
【０００７】
デジタル放送を受信し、受信したデジタル放送を記録再生する機能を備える放送受信端末の一例について説明する。
【０００８】
図１に、デジタル放送信号のデータ構成の一例を示す。図１（a）において、放送番組２００は、番組本体２０１、ＣＭ部分２０２、ＣＭ部分の後に続く番組本体２０３で構成されている。ここで、ＣＭ部分２０２を拡大表示したのが、図１（ｂ）である。２０４〜２０８が、それぞれＣＭ1本分である。通常、ＣＭ１本は15秒あるいは15秒の倍数である３０秒や１分である。図１の例では、各ＣＭの長さは同じものとする。２０４１は、ＣＭ２０４中の最後の１秒間を示した部分である。この最後の部分に、映像あるいは音声により企業名や企業ロゴ、商品名が含まれていることが多い。
【０００９】
図１（ｃ）はＣＭ２０５および２０６を拡大表示したものである。図１（ｄ）に示す２１１〜２１３は、ＣＭ２０５〜２０７の最後の１秒間に含まれる表示画像の例を示したものである。
【００１０】
図２は、放送受信端末における早送り再生の制御方法の一例を示すフローチャートである。ここでは、ユーザからの早送り再生の指示を受けた後の処理フローを示している。
【００１１】
早送り再生指示が入力されると、早送り再生の倍速値ｋを設定する（ステップ３００）。設定された倍速値ｋに従って早送り再生を開始し（ステップ３０１）、ＣＭ区間の開始が検出されたか否かを判断する（ステップ３０２）。
【００１２】
ＣＭ区間の開始が検出された場合に、ＣＭ区間モードを設定し（ステップ３０３）、ＣＭ区間開始の基点を保持し（ステップ３０４）、ＣＭ区間モードにおけるＣＭ区間限定の倍速率を設定する（ステップ３０５）。なお、ＣＭ区間の検出方法については、後述する。
【００１３】
ＣＭ開始基点を基準にして、（１５×ｎ−α）秒目のポイントを検索する（ステップ３０６）。ここで、図１の例ではαは1であるが、0<α<15を満たす自然数であれば、他の値であっても良いが、0＜α≦5であることが好ましい。まず、ｎ＝1となる地点を検索し、ステップ３０９からステップ３０６に戻るごとにｎの値を１つずつ加算していくようにする。
【００１４】
検索された（１５×ｎ−α）秒目からα秒の間、デコード再生し、出力する（ステップ３０７）。（１５×ｎ）秒目のポイントへの到達を検出すると（ステップ３０８）、番組本体区間の開始が検出されたか否かを判断する（ステップ３０９）。番組本体区間の開始が検出された場合、ステップ３００に移行し、ユーザから早送り再生停止の指示が入力されるまで、処理を継続する。
【００１５】
このようにして、ＣＭ１本単位の区切りポイントを把握し、その区切りポイントから手前α秒間を検索し、デコードして出力する。これにより、ユーザから早送り再生が指示された場合であっても、各ＣＭの最後部分の映像を表示し、音声を出力することができる。ＣＭの最後の部分には、前述のように企業ロゴや商品名が含まれていることが多いため、この部分を再生することにより、ユーザに番組のスポンサー名や商品名を知らせることができる。また、各ＣＭにつき数秒間のデコード再生のため、早送りに要する時間の増大を抑制することができる。
【００１６】
なお、ステップ３０７において、α秒間デコード再生し、出力する場合に限定する場合に限定するものではなく、例えばβ秒間（0＜β＜α）だけデコード再生するようにしても良い。１つのＣＭの最終端部（例えば0.5秒程）は、映像内容が静止状態であったり、無音声状態であったりすることが多く、広告効果が少ないため、この部分を再生しないようにすることにより、デコード再生部分を少なくすることができる。なお、βの値を設定する場合、0＜β＜1の条件を満たすことが好ましい。
【００１７】
また、ステップ３０７において、音声を出力せず、検索された（１５×ｎ−α）秒目の1枚の画像をデコード再生出力するようにしても良い。このようにすることにより、ユーザに放送番組のスポンサー情報を提示しつつ、早送り再生中にデコード再生するする時間を短縮することができる。
【００１８】
また、ステップ３０７において、検索された（１５×ｎ−α）秒目の1枚の画像をデコードし、出力をｍ秒間保持するとともに、デコードした音声をｍ秒間出力するようにしても良い（0＜ｍ≦α）。これにより、画像データのデコードによる処理負荷を軽減することができる。
【００１９】
図３に、デジタル放送信号の他のデータ構成例を示す。本例では、各ＣＭ部分は同じ長さではなく、15秒以外に、30秒のＣＭが混ざっている。
【００２０】
図３（a）において、放送番組２００は、番組本体２０１、ＣＭ部分２１４、ＣＭ部分の後に続く番組本体２０３で構成されている。ＣＭ部分２１４を拡大表示したのが、図３（ｂ）である。２１５と２１７，２１８は15秒間のＣＭであり、２１６は30秒間のＣＭである。
【００２１】
図３（ｃ）はＣＭ２１６を拡大表示したものである。２１６１は14秒から15秒の間の部分、２１６２は29秒から30秒の間の部分を示している。２１５１および２１６１，２１６２の部分の表示画像の例を図３（ｄ）に示す。この例では、15秒および30秒ＣＭの最後の１秒間に、企業ロゴが入っており、30秒ＣＭの14〜15秒の部分はＣＭの途中映像となっている。  
図３に示すようなＣＭ形態であっても、図２に示すようにＣＭ開始基点から15秒区切りの最後の部分を検索しながらデコード再生を繰り返せば、長さの異なる30秒ＣＭが含まれている場合においても、企業ロゴ等の情報をユーザに提示することができる。
【００２２】
以下、番組本体区間とＣＭ区間の検出方法例について説明する。
【００２３】
図４を用いて、音声関連のパラメータを用いて番組本体区間とＣＭ区間を検出する方法を説明する。
【００２４】
図４（ａ）に示す例では、音声データのチャネルモードが、デュアルモノ（2ヶ国語放送）から、ステレオに変わったことを、番組本編からＣＭ部分への切り替わりと解釈して、ＣＭ区間の開始として検出する。  また、音声データのチャネルモードが、ステレオからデュアルモノ（2ヶ国語放送）に変わったことを、ＣＭ部分から番組本編への切り替わりと解釈して、ＣＭ区間の終了として検出する。  
図４（ｂ）の例では、多重されている音声データが、音声ＥＳ＝２本（ステレオの2ヶ国語放送）から、音声ＥＳ＝１本に変わったことを、番組本編からＣＭ部分への切り替わりと解釈して、ＣＭ区間の開始として検出する。また、多重されている音声データが、音声ＥＳ＝１本から、音声ＥＳ＝２本（ステレオの2ヶ国語放送）に変わったことを、ＣＭ部分から番組本編への切り替わりと解釈して、ＣＭ区間の終了として検出する。
【００２５】
図４（ｃ）の例では、多重されている音声データが、帯域拡張データ付きのものから、帯域拡張データ無しの通常のものに変わったことを、番組本編からＣＭ部分への切り替わりと解釈して、ＣＭ区間の開始として検出する。  また、多重されている音声データが、帯域拡張データ無しの通常のものから、帯域拡張データ付きのものに変わったことを、ＣＭ部分から番組本編への切り替わりと解釈して、ＣＭ区間の終了として検出する。
【００２６】
次に、図５を用いて、映像・表示(文字)関連のパラメータを用いて番組本体区間とＣＭ区間を検出する方法を説明する。
【００２７】
図５（ａ）の例では、多重されている映像データの表示設定情報が、無指定からパンスキャンに変わったことを、番組本編からＣＭ部分への切り替わりと解釈して、ＣＭ区間の開始として検出する。本例では、映像フォーマットが、16:9から4:3に変化している。また、多重されている映像データの表示設定情報が、パンスキャン指定から、無指定に変わったことを、ＣＭ部分から番組本編への切り替わりと解釈して、ＣＭ区間の終了として検出する。
【００２８】
図５（ｂ）の例では、映像データの画像フォーマットサイズが、320×180  から、320×240  に変わったことを、番組本編からＣＭ部分への切り替わりと解釈して、ＣＭ区間の開始として検出する。また、多重されている映像データの画像フォーマットサイズが、320×240  から、320×180  に変わったことを、ＣＭ部分から番組本編への切り替わりと解釈して、ＣＭ区間の終了として検出する。
【００２９】
図５（ｃ）の例では、多重されている字幕データの有無指定記述子情報が“字幕有り”から“字幕無し”に変わったことを、番組本編からＣＭ部分への切り替わりと解釈して、ＣＭ区間の開始として検出する。また、多重されている字幕データの有無指定記述子情報が“字幕無し”から“字幕有り”に変わったことを、ＣＭ部分から番組本編への切り替わりと解釈して、ＣＭ区間の終了として検出する。
【００３０】
図５（ｄ）の例では、多重されているＢＭＬデータ（  データ放送用データ  ）の有無指定記述子情報が“ＢＭＬデータ有り”から“ＢＭＬデータ字幕無し”に変わったことを、番組本編からＣＭ部分への切り替わりと解釈して、ＣＭ区間の開始として検出する。また、多重されているＢＭＬデータの有無指定記述子情報が“ＢＭＬデータ字幕無し”から“ＢＭＬデータ有り”に変わったことを、ＣＭ部分から番組本編への切り替わりと解釈して、ＣＭ区間の終了として検出する。
【００３１】
なお、図４および図５に示したＣＭ区間の検出方法は例であって、これ以外の方法を用いてＣＭ部分と番組部分の切り替りを検出するようにしても良い。
【図面の簡単な説明】
【００３２】
【図１】デジタル放送信号のデータ構成の一例を示した図である。
【図２】放送受信端末における早送り再生の制御方法の一例を示すフローチャートである。
【図３】デジタル放送信号のデータ構成の一例を示した図である。
【図４】音声関連のパラメータを用いて番組本体区間とＣＭ区間を検出する方法を示した図である。
【図５】映像関連のパラメータを用いて番組本体区間とＣＭ区間を検出する方法を示した図である。
【符号の説明】
【００３３】
２０１、２０３…放送番組本体      
２０２…ＣＭ部分          
２０４〜２０８…単体ＣＭ      
２０４１〜２０６１…単体ＣＭの終端部分
２１１〜２１３…企業ロゴ表示画面の一例
【図１】
2007013359.tif 000003
【図２】
2007013359.tif 000004
【図３】
2007013359.tif 000005
【図４】
2007013359.tif 000006
【図５】
2007013359.tif 000007